(57)【特許請求の範囲】
【請求項１】
生体の一部に巻かれた圧迫帯の内圧を増加または低下させる内圧制御部と、
前記圧迫帯の内圧が増加または低下する間、当該圧迫帯の容量および内圧の時系列データを取得する時系列データ取得部と、
前記時系列データにもとづいて、前記圧迫帯の容量と内圧の関係を導出する関係導出部と、
前記関係を内圧で微分して第１微分値を導出し、当該第１微分値を時間または内圧で微分して第２微分値を導出し、当該第２微分値のピークの内圧を前記生体の血圧に決定する決定部と、
を備えることを特徴とする生体情報測定装置。
【請求項２】
前記決定部は、前記第２微分値に複数のピークが含まれる場合、当該複数のピークの内圧のうち、最も高い内圧を収縮期血圧に決定し、２番目に高い内圧を平均血圧に決定し、３番目に高い内圧を拡張期血圧に決定する、ことを特徴とする請求項１に記載の生体情報測定装置。
【請求項３】
前記時系列データ取得部は、前記圧迫帯の内圧が極大または極小になる各タイミングにおける当該圧迫帯の内圧と容量を取得する、ことを特徴とする請求項１または２に記載の生体情報測定装置。
【請求項４】
前記時系列データ取得部は、予め定められたタイミング毎に前記圧迫帯の内圧と容量を取得する、ことを特徴とする請求項１に記載の生体情報測定装置。
【請求項５】
前記内圧制御部は、前記圧迫帯に気体を供給して内圧を増加させ、当該圧迫帯から気体を排出して内圧を低下させ、
前記時系列データ取得部は、流量センサにより検出された前記圧迫帯に供給される気体の流量および当該圧迫帯から排出される気体の流量にもとづいて、当該圧迫帯の容量を取得する、ことを特徴とする請求項１から４のいずれかに記載の生体情報測定装置。
【請求項６】
生体の一部に巻かれた圧迫帯の内圧を増加させて当該生体の一部が駆血される駆血圧力に保持してから、駆血が解除されるホールド圧力まで低下させる内圧制御部と、
前記圧迫帯の内圧が増加または低下する間、当該圧迫帯の容量および内圧の時系列データを取得する時系列データ取得部と、
前記時系列データにもとづいて、前記圧迫帯の容量と内圧の関係を導出する関係導出部と、
内圧が前記生体の拡張期血圧より高い範囲において、前記関係に対して第１関数をフィッティングする第１フィッティング部と、
内圧が前記ホールド圧力より高い予め定められた圧力以上、前記拡張期血圧以下の範囲において、前記関係に対して第２関数をフィッティングする第２フィッティング部と、
前記ホールド圧力のときの前記第１関数の値と、当該ホールド圧力のときの前記第２関数の値であるホールド容量との差を血管容量として取得する血管容量取得部と、
前記圧迫帯の内圧が前記ホールド圧力になってからの当該圧迫帯の内圧の変化量を取得する変化量取得部と、
前記ホールド圧力、前記ホールド容量、前記血管容量および前記内圧の変化量にもとづいて、前記生体の血管径または前記血管容量の拡張率を導出する拡張率導出部と、
を備えることを特徴とする生体情報測定装置。
【請求項７】
生体の一部に巻かれた圧迫帯の内圧を増加させて当該生体の一部が駆血される駆血圧力に保持してから、駆血が解除されるホールド圧力まで低下させる内圧制御部と、
前記圧迫帯の内圧が増加または低下する間、当該圧迫帯の容量および内圧の時系列データを取得する時系列データ取得部と、
前記時系列データにもとづいて、前記圧迫帯の容量と内圧の関係を導出する関係導出部と、
内圧が前記生体の拡張期血圧より高い範囲において、前記関係に対して関数をフィッティングするフィッティング部と、
前記ホールド圧力のときの前記関数の値と、前記関係における当該ホールド圧力のときの容量であるホールド容量との差を血管容量として取得する血管容量取得部と、
前記圧迫帯の内圧が前記ホールド圧力になってからの当該圧迫帯の内圧の変化量を取得する変化量取得部と、
前記ホールド圧力、前記ホールド容量、前記血管容量および前記内圧の変化量にもとづいて、前記生体の血管径または前記血管容量の拡張率を導出する拡張率導出部と、
を備えることを特徴とする生体情報測定装置。
【請求項８】
前記ホールド容量をＶｃとして、前記ホールド圧力をＰｃとして、前記血管容量をＶｖとして、前記内圧の変化量をΔＰｃとして、
前記拡張率導出部は、１００×Ｖｃ×ΔＰｃ／（２Ｖｖ×Ｐｃ）を前記血管径の拡張率として導出する、ことを特徴とする請求項６または７に記載の生体情報測定装置。
【請求項９】
前記変化量取得部は、前記圧迫帯の内圧が前記ホールド圧力になってからの当該圧迫帯の内圧の経時変化と、時間とともに内圧が当該ホールド圧力から増加する予め取得された当該圧迫帯の特性との差にもとづいて、前記内圧の変化量を導出する、ことを特徴とする請求項６から８のいずれかに記載の生体情報測定装置。
【請求項１０】
前記関係を内圧で微分して第１微分値を導出し、当該第１微分値を時間または内圧で微分して第２微分値を導出し、当該第２微分値のピークの内圧にもとづいて前記拡張期血圧を決定する決定部をさらに備える、ことを特徴とする請求項６から９のいずれかに記載の生体情報測定装置。
【請求項１１】
前記時系列データ取得部は、前記圧迫帯の内圧が極小になる各タイミングにおける当該圧迫帯の内圧と容量を取得する、ことを特徴とする請求項６から１０のいずれかに記載の生体情報測定装置。
【発明の詳細な説明】
【技術分野】
【０００１】
本開示は、生体の一部に巻かれた圧迫帯により得られた情報にもとづいて生体情報を測定する生体情報測定装置に関する。
【背景技術】
【０００２】
近年、血圧、血管の内皮機能を示す指標などの生体情報を測定する要請が高まっている。特許文献１は、オシロメトリック法により血圧を測定する電子血圧計を開示する。【０００３】
また、血管の内皮機能を示す指標として、ＦＭＤ（Ｆｌｏｗ−Ｍｅｄｉａｔｅｄ  Ｄｉｌａｔｉｏｎ：血流依存性血管拡張反応）測定で得られる血管径の拡張率が知られている。ＦＭＤ測定では、安静状態での被測定者の腕の血管径を測定し、腕を駆血して解除した後の血管径を測定し、これらの値から血管径の拡張率を計算する。血管拡張反応は、平滑筋の多い動脈血管で主に起こる。動脈硬化などにより血管の内皮機能が低下すると、血管径の拡張率が低下する。
【先行技術文献】
【特許文献】
【０００４】
【特許文献１】特開２０１５−９０４４号公報
【発明の概要】
【発明が解決しようとする課題】
【０００５】
オシロメトリック法は、心臓の拍動に伴う血管の脈動を利用して血圧を測定する手法であり、脈波の振幅の変化にもとづいて収縮期血圧および拡張期血圧を決定する。血圧を決定するアルゴリズムは経験的な手法により定められているため、実際の血圧と測定値が異なる可能性があり、測定値の精度に改善の余地がある。【０００６】
また、一般的なＦＭＤ測定では、１本の太い動脈血管を測定対象として、血管の超音波画像を用いて血管の径を測定するため、超音波画像の取得およびその画像からの血管内径の取得にオペレータの習熟が必要であり、測定時間を短縮することは困難である。また、血管拡張反応により血管容量が増加するが、血管の径の変化を測定する。これらから、同一の被測定者であっても測定対象の血管の太さまたは測定位置が変わると、得られる血管径の拡張率が変化する可能性がある。
このように、簡易な測定で生体情報の測定精度を向上することが望まれる。【０００７】
本開示はこうした状況に鑑みてなされており、その目的とするところの１つは、生体情報を精度よく容易に測定できる生体情報測定装置を提供することにある。
【課題を解決するための手段】
【０００８】
上記課題を解決するために、本開示のある態様の生体情報測定装置は、生体の一部に巻かれた圧迫帯の内圧を増加または低下させる内圧制御部と、圧迫帯の内圧が増加または低下する間、当該圧迫帯の容量および内圧の時系列データを取得する時系列データ取得部と、時系列データにもとづいて、圧迫帯の容量と内圧の関係を導出する関係導出部と、関係を内圧で微分して第１微分値を導出し、当該第１微分値を時間または内圧で微分して第２微分値を導出し、当該第２微分値のピークの内圧を生体の血圧に決定する決定部と、を備える。【０００９】
本開示の別の態様もまた、生体情報測定装置である。この装置は、生体の一部に巻かれた圧迫帯の内圧を増加させて当該生体の一部が駆血される駆血圧力に保持してから、駆血が解除されるホールド圧力まで低下させる内圧制御部と、圧迫帯の内圧が増加または低下する間、当該圧迫帯の容量および内圧の時系列データを取得する時系列データ取得部と、時系列データにもとづいて、圧迫帯の容量と内圧の関係を導出する関係導出部と、内圧が生体の拡張期血圧より高い範囲において、関係に対して第１関数をフィッティングする第１フィッティング部と、内圧がホールド圧力より高い予め定められた圧力以上、拡張期血圧以下の範囲において、関係に対して第２関数をフィッティングする第２フィッティング部と、ホールド圧力のときの第１関数の値と、当該ホールド圧力のときの第２関数の値であるホールド容量との差を血管容量として取得する血管容量取得部と、圧迫帯の内圧がホールド圧力になってからの当該圧迫帯の内圧の変化量を取得する変化量取得部と、ホールド圧力、ホールド容量、血管容量および内圧の変化量にもとづいて、生体の血管径または血管容量の拡張率を導出する拡張率導出部と、を備える。【００１０】
本開示のさらに別の態様もまた、生体情報測定装置である。この装置は、生体の一部に巻かれた圧迫帯の内圧を増加させて当該生体の一部が駆血される駆血圧力に保持してから、駆血が解除されるホールド圧力まで低下させる内圧制御部と、圧迫帯の内圧が増加または低下する間、当該圧迫帯の容量および内圧の時系列データを取得する時系列データ取得部と、時系列データにもとづいて、圧迫帯の容量と内圧の関係を導出する関係導出部と、内圧が生体の拡張期血圧より高い範囲において、関係に対して関数をフィッティングするフィッティング部と、ホールド圧力のときの関数の値と、関係における当該ホールド圧力のときの容量であるホールド容量との差を血管容量として取得する血管容量取得部と、圧迫帯の内圧がホールド圧力になってからの当該圧迫帯の内圧の変化量を取得する変化量取得部と、ホールド圧力、ホールド容量、血管容量および内圧の変化量にもとづいて、生体の血管径または血管容量の拡張率を導出する拡張率導出部と、を備える。【００１１】
なお、以上の構成要素の任意の組合せ、本開示の表現を方法、装置、システム、記録媒体、コンピュータプログラムなどの間で変換したものもまた、本開示の態様として有効である。
【発明の効果】
【００１２】
本開示によれば、生体情報を精度よく容易に測定できる。
【図面の簡単な説明】
【００１３】
【図１】第１の実施の形態に係る生体情報測定装置の構成を示す図である。
【図２】図１の圧迫帯の容量と内圧の関係を示す図である。
【図３】第２の実施の形態に係る生体情報測定装置の構成を示す図である。
【図４】図３の圧迫帯の内圧の経時変化を示す図である。
【図５】図３の圧迫帯の容量と内圧の関係、第１関数および第２関数を示す図である。
【図６】図３の変化量取得部で取得された圧迫帯の内圧のホールド圧力からの経時変化と、圧迫帯の特性とを示す図である。
【図７】第３の実施の形態に係る生体情報測定装置の構成を示す図である。
【発明を実施するための形態】
【００１４】
（第１の実施の形態）
第１の実施の形態を具体的に説明する前に、まず概要を述べる。第１の実施の形態は、生体情報として血圧を測定する生体情報測定装置に関する。既述のように、オシロメトリック法による血圧計では、測定値の精度に改善の余地がある。また、脈波の形状が測定精度に影響するため、脈波を取得する圧迫帯の内圧の増加速度または低下速度には適正な速度があり、測定精度を低下させずに測定時間を短縮することは困難である。さらに、大量の出血を伴った患者、心不全状態に陥った患者などでは、血圧が低下するとともに血管の脈動が弱くなる。このような患者の血圧は、オシロメトリック法により測定することが困難である。
【００１５】
また近年、心不全患者に人工心臓を適用する件数が増加している。人工心臓は、安価で扱いやすい軸流ポンプ型のものが主流である。この型の人工心臓を利用する被測定者は、血管に脈動がないため、オシロメトリック法では血圧を測定できない。このような血管の脈動が弱い、または、脈動がない被測定者の血圧を非観血的に簡易に測定することも望まれる。
【００１６】
そこで本実施の形態では、被測定者の上腕などに巻かれた圧迫帯の内圧が低下する間、圧迫帯の容量および内圧の組を逐次取得する。そして、取得したデータから容量と内圧の関係を導出し、容量と内圧の関係の微分結果のピーク位置にもとづいて血圧を決定する。
【００１７】
図１は、第１の実施の形態に係る生体情報測定装置１の構成を示す。生体情報測定装置１は、血圧測定装置とも呼べる。生体情報測定装置１は、圧迫帯１０、配管１２、流量センサ１４、制御弁１６、空気ポンプ１８、圧力センサ２０、インターフェース回路２２、処理部２４および表示部２６を備える。
【００１８】
圧迫帯１０は、図示しない膨張袋を有し、被測定者である生体の一部、たとえば上腕８０に巻かれる。圧迫帯１０は、配管１２を介して空気ポンプ１８に接続される。配管１２の途中には、流量センサ１４と制御弁１６が設けられる。流量センサ１４は、制御弁１６より圧迫帯１０側に設けられる。
【００１９】
制御弁１６は、空気ポンプ１８から圧送される空気の圧力を調整して圧迫帯１０に供給し、または、圧迫帯１０から空気を排出し、これにより圧迫帯１０の内圧を調節する。
【００２０】
流量センサ１４は、たとえば熱線式風速計であり、圧迫帯１０に供給される空気の流量または圧迫帯１０から排出される空気の流量を検出する。
【００２１】
圧迫帯１０には、配管１２を介して圧力センサ２０も接続される。圧力センサ２０は、圧迫帯１０の内圧を検出する。
【００２２】
流量センサ１４により検出された空気の流量と、圧力センサ２０により検出された圧迫帯１０の内圧は、Ａ／Ｄ変換器を含むインターフェース回路２２を介して処理部２４に供給される。
【００２３】
処理部２４は、内圧制御部３０、時系列データ取得部３２、関係導出部３４および決定部３６を備える。処理部２４の構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２４】
内圧制御部３０は、圧力センサ２０により検出された圧迫帯１０の内圧にもとづいて、制御弁１６と空気ポンプ１８を制御して、圧迫帯１０の内圧を増加または低下させる。内圧制御部３０は、圧迫帯１０に空気を供給して内圧を増加させ、圧迫帯１０から空気を排出して内圧を低下させる。
【００２５】
内圧制御部３０は、血圧測定を開始する場合、圧迫帯１０の内圧を被測定者の収縮期血圧より高い目標最高圧力まで増加させてから、被測定者の拡張期血圧より低い目標最低圧力まで低下させる。目標最高圧力と目標最低圧力は、実験などにより適宜定めることができる。目標最高圧力は、たとえば１８０ｍｍＨｇ程度でもよく、目標最低圧力は、たとえば２０ｍｍＨｇ程度でもよい。
【００２６】
時系列データ取得部３２は、流量センサ１４により検出された空気の流量と、圧力センサ２０により検出された内圧とにもとづいて、圧迫帯１０の内圧が目標最高圧力から低下する間、圧迫帯１０の容量および内圧の組の時系列データを取得する。時系列データは、容量と内圧の取得時刻も含む。時系列データ取得部３２は、時系列データを関係導出部３４に出力する。
【００２７】
時系列データ取得部３２は、流量センサ１４により検出された圧迫帯１０に供給される空気の流量および圧迫帯１０から排出される空気の流量にもとづいて、圧迫帯１０の容量を取得する。空気の流量を用いることで、簡素な構成で容量を取得できる。
【００２８】
被測定者の血管に脈動があるか否かに応じて、オペレータの操作により生体情報測定装置１の動作モードが第１モードまたは第２モードに設定される。脈動がある場合、第１モードに設定される。脈動がない場合、第２モードに設定される。上腕８０の血管の脈動に応じて圧迫帯１０の内圧にも脈動が生じるため、モードは、圧迫帯１０の内圧の変化量にもとづいて自動的に設定されてもよい。
【００２９】
時系列データ取得部３２は、第１モードでは、圧迫帯１０の内圧が極大または極小になる各タイミングにおける圧迫帯１０の内圧と容量を取得する。内圧が極大になるタイミングは、収縮期血圧のタイミングであり、内圧が極小になるタイミングは、拡張期血圧のタイミングであるといえる。以下、内圧が極小になるタイミングで内圧と容量を取得する例を説明するが、内圧が極大になるタイミングで内圧と容量を取得した場合も同様である。
【００３０】
時系列データ取得部３２は、第２モードでは、圧迫帯１０の内圧が低下する間、予め定められたタイミング毎に、たとえば一定時間毎に圧迫帯１０の内圧と容量を取得する。
【００３１】
関係導出部３４は、モードによらず、時系列データ取得部３２で取得された容量と内圧の時系列データにもとづいて、図２に示すような圧迫帯１０の容量と内圧の関係を導出する。関係導出部３４は、導出した容量と内圧の関係を決定部３６に出力する。
【００３２】
図２は、図１の圧迫帯１０の容量と内圧の関係を示す。図２は、内圧が脈動を有する場合の関係の一例を示す。圧迫帯１０の内圧が目標最高圧力から目標最低圧力まで低下する間、複数組の容量と内圧が取得される。関係導出部３４は、複数組の容量と内圧をもとに、図２の容量と内圧の関係、すなわち内圧の変化に対する容量の変化であるＰ−Ｖ特性を導出する。
【００３３】
容量と内圧の関係は、上腕８０の弾性の情報を含む。圧迫帯１０の内圧が目標最高圧力から低下することに伴い、圧迫帯１０で圧迫された上腕８０の血管が開口し、血管の弾性が変化する。これにより、圧迫帯１０の直下の上腕８０の弾性も変化する。よって、容量と内圧の関係は、血管の開口に伴う上腕８０の弾性の変化の情報を含む。
【００３４】
血管に脈動がある場合、圧迫帯１０の内圧が収縮期血圧になると、血管が開口し始める。圧迫帯１０の内圧が拡張期血圧になると、血管がほぼ完全に開口する。そのため、収縮期血圧、拡張期血圧のそれぞれで、容量と内圧の関係に上腕８０の弾性が変化する特徴点が現れる。平均血圧にも特徴点が現れる。特徴点は、容量と内圧の関係を微分することによりピークが現れる点である。そこで、特徴点を検出することで、収縮期血圧、拡張期血圧、平均血圧を決定できる。
【００３５】
血管に脈動がない場合、圧迫帯１０の内圧が被測定者の血圧になると血管が開口する。そのため、被測定者の血圧で容量と内圧の関係に特徴点が現れる。そこで、特徴点を検出することで血圧を決定できる。
【００３６】
決定部３６は、関係導出部３４で導出された容量と内圧の関係の微分結果のピーク位置にもとづいて、被測定者の血圧を決定する。決定部３６は、図２に示す容量と内圧の関係を内圧で微分して第１微分値ｄＶ／ｄＰを導出する。第１微分値と内圧の関係は図２に示される。決定部３６は、内圧の取得時刻を用いて第１微分値を時間で微分して、第２微分値ｄ（ｄＶ／ｄＰ）／ｄｔを導出する。第２微分値と内圧の関係は図２に示される。第２微分値は、内圧の変化に対する第１微分値のゆるやかな変化を除去したものであり、複数のピークを含む。決定部３６は、第２微分値のピークの内圧を血圧に決定する。
【００３７】
決定部３６は、第１モードでは、図２のように第２微分値に複数のピークが含まれる場合、複数のピークの内圧のうち、最も高い内圧Ｐｓを収縮期血圧に決定し、２番目に高い内圧Ｐｍを平均血圧に決定し、３番目に高い内圧Ｐｄを拡張期血圧に決定する。これにより、脈動がある被測定者の収縮期血圧等を取得できる。
【００３８】
決定部３６は、第２モードでは、容量と内圧の関係に複数のピークが含まれる場合、複数のピークの内圧のうち、最も高い内圧を血圧に決定する。これにより、脈動がない被測定者の血圧を取得できる。
【００３９】
決定部３６は、ノイズの影響を除去するため、所定の大きさ以上の極大点をピークとみなす。所定の大きさは、実験などにより適宜定めることができる。決定部３６は、決定した血圧を表示部２６に表示させる。
【００４０】
本実施の形態によれば、圧迫帯１０の内圧が低下する間における圧迫帯１０の容量と内圧の関係を導出するので、容量と内圧の関係は、血管の開口により上腕８０の弾性が変化する特徴点を含む。そして、容量と内圧の関係から導出された第２微分値のピークの内圧、すなわち特徴点の内圧を血圧に決定するので、血圧を精度よく容易に測定できる。脈波の振幅の変化を利用しないので、脈動が弱い場合および脈動がない場合にも、高精度な血圧を取得できる。また、脈波の形状を取得しないので、オシロメトリック法より高速に圧迫帯の内圧を増加または低下させても、血圧の測定精度が低下しにくい。そのため、より短時間で血圧を測定できる。
【００４１】
第１モードでは、圧迫帯１０の内圧が極大または極小になる各タイミングにおける圧迫帯１０の内圧と容量を取得するので、脈動がある被測定者の血圧を取得できる。第２モードでは、予め定められたタイミング毎に圧迫帯１０の内圧と容量を取得するので、脈動がない被測定者の血圧を取得できる。
【００４２】
（第２の実施の形態）
第２の実施の形態では、ＦＭＤ測定を実行し、圧迫帯１０の内圧と容量にもとづいて血管径の拡張率を取得する。以下、第１の実施の形態との相違点を中心に説明する。
【００４３】
図３は、第２の実施の形態に係る生体情報測定装置１の構成を示す。生体情報測定装置１は、ＦＭＤ測定により、生体情報として血管径の拡張率を測定する。生体情報測定装置１は、血管機能測定装置とも呼べる。処理部２４の構成が第１の実施の形態と異なる。処理部２４は、内圧制御部３０、時系列データ取得部３２、関係導出部３４、決定部３６、第１フィッティング部３８、第２フィッティング部４０、血管容量取得部４２、変化量取得部４４および拡張率導出部４６を備える。
【００４４】
内圧制御部３０は、圧迫帯１０の内圧を生体の一部である上腕８０が駆血される駆血圧力Ｐ１に保持してから、駆血が解除されるホールド圧力Ｐｃまで低下させる。図４を参照して詳細に説明する。
【００４５】
図４は、図３の圧迫帯１０の内圧の経時変化を示す。内圧制御部３０は、時刻ｔ０において内圧の増加を開始させ、時刻ｔ１において内圧が駆血圧力Ｐ１に達すると、駆血期間Ｈだけ内圧を駆血圧力Ｐ１に保持させる。駆血圧力Ｐ１は、動脈の血管が潰れて閉じる値、たとえば１８０ｍｍＨｇ程度に設定される。駆血期間Ｈは、たとえば数十秒から数分程度に設定される。
【００４６】
内圧制御部３０は、駆血期間Ｈが経過した時刻ｔ２において、圧迫帯１０の内圧の低下を開始させ、時刻ｔ３において内圧がホールド圧力Ｐｃに達すると、制御弁１６に空気の供給と排出を停止させて、時刻ｔ４までの保持期間Ｔだけ内圧をホールド圧力Ｐｃに保持させる。ホールド圧力Ｐｃは、動脈の血管が開き、かつ、圧迫帯１０が上腕に密着する値、たとえば１５〜２０ｍｍＨｇ程度に設定される。
【００４７】
駆血の解除により動脈血管の血流が再開すると、動脈血管の内皮に作用する血流のずり応力に基づいて、その内皮からＮＯ（一酸化窒素）が産生され、そのＮＯにより平滑筋が弛緩させられることで、血管拡張反応が起こる。保持期間Ｔは、この血管拡張反応により動脈血管の容量が最大となるタイミングを十分にカバーする期間、たとえば９０〜３００秒程度に設定される。
【００４８】
駆血圧力Ｐ１、駆血期間Ｈ、ホールド圧力Ｐｃ、保持期間Ｔは、実験などにより適宜定めることができる。
【００４９】
時系列データ取得部３２は、時刻ｔ２からｔ３までの圧迫帯１０の内圧が低下する間、圧迫帯１０の容量および内圧の時系列データを取得する。時系列データ取得部３２は、圧迫帯１０の内圧が極小になる各タイミングにおける圧迫帯１０の内圧と容量を取得する。
【００５０】
関係導出部３４は、時系列データ取得部３２で取得された時系列データにもとづいて、圧迫帯１０の容量と内圧の関係を導出し、導出された容量と内圧の関係を決定部３６に出力する。
【００５１】
図５は、図３の圧迫帯１０の容量と内圧の関係、第１関数Ｆ１および第２関数Ｆ２を示す。図５では、一例として図２と同じ容量と内圧の関係を示す。
【００５２】
決定部３６は、第１の実施の形態と同様に、関係導出部３４で導出された容量と内圧の関係にもとづいて生体の拡張期血圧Ｐｄを決定し、決定した拡張期血圧Ｐｄを第１フィッティング部３８と第２フィッティング部４０に出力する。
【００５３】
第１フィッティング部３８は、内圧が決定部３６で決定された拡張期血圧Ｐｄより高い範囲において、関係導出部３４で導出された容量と内圧の関係に対して第１関数Ｆ１をフィッティングする。第１関数Ｆ１は、たとえば式（１）に示す多項式である。式（１）において、Ｖは容量を表し、Ｐは内圧を表す。第１フィッティング部３８は、周知の技術を用いて、相関係数が１に近づくように式（１）の係数ａ，ｂ，ｃを定める。第１関数Ｆ１は、内圧が拡張期血圧Ｐｄより高い範囲において、容量と内圧の関係を近似する。
Ｖ＝ａ×Ｐ２＋ｂ×Ｐ＋ｃ      ・・・（１）
【００５４】
内圧が極小になる各タイミングにおける圧迫帯１０の内圧と容量を取得するので、容量と内圧の関係は、内圧が拡張期血圧Ｐｄより高い範囲では、動脈および静脈の血管が閉じた状態を表す。そのため、第１関数Ｆ１も、動脈および静脈の血管が閉じた状態の容量と内圧の関係を表す。
【００５５】
第２フィッティング部４０は、内圧が予め定められた圧力Ｐｘ以上、拡張期血圧Ｐｄ以下の範囲において、関係導出部３４で導出された容量と内圧の関係に対して第２関数Ｆ２をフィッティングする。圧力Ｐｘは、ホールド圧力Ｐｃより高い。第２関数Ｆ２は、たとえば式（２）に示す、べき関数である。第２フィッティング部４０は、周知の技術を用いて、相関係数が１に近づくように式（２）の係数ｄと指数ｅを定める。第２関数Ｆ２は、内圧が圧力Ｐｘ以上、拡張期血圧Ｐｄ以下の範囲において、容量と内圧の関係を近似する。
Ｖ＝ｄ×Ｐｅ   ・・・（２）
【００５６】
圧力Ｐｘは、動脈の血管が開き、静脈の血管が閉じる値に定められる。そのため、容量と内圧の関係は、内圧が圧力Ｐｘ以上、拡張期血圧Ｐｄ以下の範囲では、動脈の血管が開き、静脈の血管が閉じた状態を表す。よって、第２関数Ｆ２も、動脈の血管が開き、静脈の血管が閉じた状態の容量と内圧の関係を表す。
【００５７】
第１関数Ｆ１および第２関数Ｆ２として、容量と内圧の関係に応じて上に凸の様々な関数が用いられ得る。第１関数Ｆ１と第２関数Ｆ２は、たとえば、内圧Ｐに関するｎ（ｎは２以上の整数）次の多項式、三角関数（たとえばｓｉｎ  Ｐ）を含む式、対数関数（たとえばｌｏｇ  Ｐ）を含む式、または、スプライン関数など、カーブフィッティングに用いられる周知の関数であってもよい。第１関数Ｆ１と第２関数Ｆ２は、式（１）、式（２）も含むこれらの関数のうち少なくとも２つを組み合わせた関数でもよい。また、上述の例のように第１関数Ｆ１と第２関数Ｆ２の式が異なる場合もあれば、第１関数Ｆ１と第２関数Ｆ２の式が同じで係数や指数が異なる場合もある。
【００５８】
血管容量取得部４２は、ホールド圧力Ｐｃのときの第１関数Ｆ１の値Ｖｘと、ホールド圧力Ｐｃのときの第２関数Ｆ２の値であるホールド容量Ｖｃとを取得し、値Ｖｘとホールド容量Ｖｃとの差を血管容量Ｖｖとして取得する。血管容量取得部４２は、取得したホールド容量Ｖｃと血管容量Ｖｖを拡張率導出部４６に出力する。血管容量Ｖｖは、圧迫帯１０による圧迫対象領域の上腕８０の複数の動脈血管の複合的な容量を示す。
【００５９】
変化量取得部４４は、図４の保持期間Ｔの間、すなわち圧迫帯１０の内圧がホールド圧力Ｐｃに保持される間、圧迫帯１０の内圧の時系列データを取得する。変化量取得部４４は、圧迫帯１０の内圧が極小になる各タイミングにおける内圧を取得する。
【００６０】
図６は、変化量取得部４４で取得された圧迫帯１０の内圧のホールド圧力Ｐｃからの経時変化１００と、圧迫帯１０の特性１０２とを示す。図６は、図４の時刻ｔ３以降の圧迫帯１０の内圧と時間との関係を示す。圧迫帯１０の内圧は、被測定者の呼吸の影響で振動する。
【００６１】
血管拡張反応により動脈血管が拡張すると上腕８０が膨らみ、この膨らみが圧迫帯１０の内圧を増加させ、図６に示すように圧迫帯１０の内圧はホールド圧力Ｐｃより高くなる。これにより、圧迫帯１０の容量はホールド容量Ｖｃより小さくなる。
【００６２】
変化量取得部４４は、取得した時系列データにもとづいて、圧迫帯１０の内圧がホールド圧力Ｐｃになってからの圧迫帯１０の内圧の変化量ΔＰｃを取得し、取得した内圧の変化量ΔＰｃを拡張率導出部４６に出力する。
【００６３】
ここで、上腕８０が存在しない場合であっても、内圧がホールド圧力Ｐｃである圧迫帯１０は、時間とともに内圧がわずかに増加する特性１０２を有する。そこで、変化量取得部４４は、この圧迫帯１０の特性１０２を補正する。
【００６４】
変化量取得部４４は、圧迫帯１０の内圧がホールド圧力Ｐｃになってからの圧迫帯１０の内圧の経時変化１００と、時間とともに内圧がホールド圧力Ｐｃから増加する予め取得された圧迫帯１０の特性１０２との差にもとづいて、内圧の変化量ΔＰｃを導出する。変化量取得部４４は、この差の最大値を内圧の変化量ΔＰｃとして導出する。これにより、血管の拡張に起因する内圧の変化量ΔＰｃをより正確に取得できる。
【００６５】
拡張率導出部４６は、ホールド圧力Ｐｃ、ホールド容量Ｖｃ、血管容量Ｖｖおよび内圧の変化量ΔＰｃにもとづいて、生体の血管径の拡張率Ｒ（％）を導出する。拡張率導出部４６は、１００×Ｖｃ×ΔＰｃ／（２Ｖｖ×Ｐｃ）を血管径の拡張率Ｒとして導出する。拡張率導出部４６は、導出された血管径の拡張率Ｒを表示部２６に表示させる。
【００６６】
ここで、血管径の拡張率Ｒが上記数式で導出できることを説明する。
圧迫帯１０の内圧がホールド圧力Ｐｃであり、圧迫帯１０の容量がホールド容量Ｖｃのとき、動脈血管の拡張に応じた圧迫帯１０による圧迫対象領域の上腕８０の容量変化ΔＶｃによって圧迫帯１０が変形し、圧迫帯１０の容量がΔＶｃ減少したとき、圧迫帯１０の内圧がΔＰｃ増加したとする。ただし、上腕８０の容量変化ΔＶｃは全て圧迫帯１０の容量変化として圧迫帯１０に伝わり、温度は一定であると仮定する。ボイルの法則により式（３）が成立するので、式（４）が成立する。
Ｐｃ×Ｖｃ＝一定                        ・・・（３）
Ｐｃ×Ｖｃ＝（Ｐｃ＋ΔＰｃ）×（Ｖｃ−ΔＶｃ）
＝Ｐｃ×Ｖｃ＋Ｖｃ×ΔＰｃ−Ｐｃ×ΔＶｃ−ΔＰｃ×ΔＶｃ    ・・・（４）
【００６７】
ΔＰｃ×ΔＶｃは微小量であるので省略し、式（４）を変形すると、
Ｖｃ×ΔＰｃ−Ｐｃ×ΔＶｃ＝０        ・・・（５）
より、
Ｖｃ×ΔＰｃ＝Ｐｃ×ΔＶｃ            ・・・（６）
となる。
【００６８】
従って、式（７）が得られる。
ΔＶｃ＝（Ｖｃ／Ｐｃ）×ΔＰｃ        ・・・（７）
式（７）から、Ｖｃ、Ｐｃ、ΔＰｃを測定することでΔＶｃが求まる。
【００６９】
ここで、上記容量変化ΔＶｃと、圧迫帯１０による圧迫対象領域の上腕８０の血管容量Ｖｖとの比である変化率ΔＶｃ／Ｖｖは、式（８）で表される。圧迫帯１０による圧迫対象領域内の血管床の複数の動脈血管の複合的な血管の半径をＤとして、圧迫対象領域の長さをＬとして、容量変化ΔＶｃは血管の容量変化であると仮定する。複合的な血管の半径Ｄは、圧迫対象領域内で容量変化を生じると考えられる複数の動脈血管の複合的な容量を有する円柱の半径である。
ΔＶｃ／Ｖｖ＝π（（Ｄ＋ΔＤ）２−Ｄ２）Ｌ／πＤ２Ｌ
＝（２ＤΔＤ＋ΔＤ２）／Ｄ２
＝（２Ｄ＋ΔＤ）ΔＤ／Ｄ２
≒２ＤΔＤ／Ｄ２
＝２ΔＤ／Ｄ                            ・・・（８）
【００７０】
また、血管径の拡張率Ｒ（％）は、式（９）で定義される。
Ｒ＝１００×ΔＤ／Ｄ            ・・・（９）
【００７１】
式（８）を式（９）に代入すると、式（１０）が得られる。
Ｒ＝１００×ΔＶｃ／２Ｖｖ            ・・・（１０）
【００７２】
式（７）を式（１０）に代入すると、前述の数式である式（１１）が得られる。
Ｒ＝１００×Ｖｃ×ΔＰｃ／（２×Ｖｖ×Ｐｃ）      ・・・（１１）
【００７３】
本実施の形態によれば、圧迫帯１０の容量と内圧の関係に対して、拡張期血圧Ｐｄで分けて第１関数Ｆ１と第２関数Ｆ２をフィッティングし、ホールド圧力Ｐｃのときの第１関数Ｆ１の値Ｖｘと、ホールド圧力Ｐｃのときの第２関数Ｆ２の値（ホールド容量Ｖｃ）との差を血管容量Ｖｖとして取得する。これにより、上腕８０の血管容量Ｖｖを精度よく取得できる。ホールド圧力Ｐｃ、内圧の変化量ΔＰｃは取得可能であるため、これらの値と式（１１）をもとに、血管径の拡張率Ｒを精度よく測定できる。
【００７４】
拡張期血圧Ｐｄは、第１の実施の形態と同様に決定されるので、精度が高い。そのため、値Ｖｘとホールド容量Ｖｃの精度も高くなり、血管容量Ｖｖの精度も高くなる。
【００７５】
また、圧迫帯１０を生体の一部に巻いて血管径の拡張率Ｒを測定するので、既存の超音波画像を用いる装置と比較して、特別な測定技術を必要とせず、測定が容易であり、短時間で測定可能である。圧迫帯１０の圧迫対象領域の複数の動脈血管の容量変化の情報を反映した血管径の拡張率Ｒを取得できるので、再現性の高い血管径の拡張率Ｒを取得しやすくなる。つまり、既存の超音波画像を用いるＦＭＤ測定で生じやすい測定対象の動脈血管の太さや測定位置に応じた血管径の拡張率の変動を回避できる。また、血管容量Ｖｖの変化率ΔＶｃ／Ｖｖを血管径の拡張率Ｒに変換するので、既存の超音波画像を用いるＦＭＤ測定で得られる血管径の拡張率と、本実施の形態の測定値とを比較できる。
【００７６】
また、既存の超音波画像を用いる装置と比較して、超音波プローブ、超音波プローブを支持して最適位置を探索するプローブ支持装置、超音波画像を生成する超音波画像生成装置などが不要となるため、構成を簡素化して、生体情報測定装置１を低コスト化および小型化できる。
【００７７】
さらに、ホールド圧力Ｐｃのときに一部の静脈の血管も開く可能性があるが、ホールド圧力Ｐｃより高い圧力Ｐｘ以上の範囲でフィッティングした第２関数Ｆ２をもとに、ホールド圧力Ｐｃのときのホールド容量Ｖｃを取得するので、静脈の血管の容量が含まれないホールド容量Ｖｃを取得しやすい。静脈の血管には血管拡張反応が起こらないため、ホールド容量Ｖｃが動脈の血管の容量に近いことで、より正確な血管径の拡張率Ｒを取得できる。ホールド圧力Ｐｃは厳密に静脈の血管が閉じる値ではなくてもよいので、ホールド圧力Ｐｃの設定が容易である。
【００７８】
（第３の実施の形態）
第３の実施の形態では、第２関数Ｆ２を用いず、ホールド圧力Ｐｃのときの圧迫帯１０の容量の測定値をホールド容量Ｖｃとすることが、第２の実施の形態と異なる。以下、第２の実施の形態との相違点を中心に説明する。
【００７９】
図７は、第３の実施の形態に係る生体情報測定装置１の構成を示す。処理部２４の構成が第２の実施の形態と異なり、第２フィッティング部が設けられない。フィッティング部３８ａは、第２の実施の形態の第１フィッティング部３８と同じ機能を有する。第２の実施の形態の第１関数Ｆ１を関数Ｆとよぶ。
【００８０】
血管容量取得部４２は、関係導出部３４で導出された容量と内圧の関係におけるホールド圧力Ｐｃのときの容量であるホールド容量Ｖｃを取得し、ホールド圧力Ｐｃのときの関数Ｆの値Ｖｘと、ホールド容量Ｖｃとの差を血管容量Ｖｖとして取得する。
【００８１】
ホールド圧力Ｐｃのときに一部の静脈の血管が開いた場合、ホールド容量Ｖｃは開いた静脈の血管の容量も含むため、血管径の拡張率Ｒの精度が第２の実施の形態より低下する可能性がある。そこで、精度を高めるため、動脈の血管が開き、かつ、静脈の血管が閉じる値にホールド圧力Ｐｃを設定することが好ましい。
【００８２】
本実施の形態によれば、１種類の関数をフィッティングすればよいので、処理部２４の処理を第２の実施の形態より簡素化できる。
【００８３】
以上、本開示を実施の形態をもとに説明した。これらの実施の形態は例示であり、それらの各構成要素や各処理プロセスの組合せにいろいろな変形例が可能なこと、またそうした変形例も本開示の範囲にあることは当業者に理解されるところである。
【００８４】
たとえば、第１の実施の形態において、時系列データ取得部３２は、圧迫帯１０の内圧が極大および極小になる各タイミングにおける圧迫帯１０の内圧と容量を取得してもよい。関係導出部３４は、圧迫帯１０の内圧が極小になるタイミングの時系列データにもとづいて、圧迫帯１０の容量と内圧の第１の関係を導出し、圧迫帯１０の内圧が極大になるタイミングの時系列データにもとづいて、圧迫帯１０の容量と内圧の第２の関係を導出してもよい。決定部３６は、第１の関係の微分結果のピーク位置にもとづいて拡張期血圧を決定し、第２の関係の微分結果のピーク位置にもとづいて収縮期血圧を決定してもよい。この変形例では、ノイズの影響が大きい場合にも、血圧を精度よく測定しやすい。
【００８５】
第１から第３の実施の形態において、時系列データ取得部３２は、圧迫帯１０の内圧が低下する間に代えて、内圧が０付近から増加する間、圧迫帯１０の容量および内圧の時系列データを取得してもよい。この変形例では、生体情報測定装置１の構成の自由度を向上できる。
【００８６】
第１の実施の形態において、第２の実施の形態の第１フィッティング部３８と第２フィッティング部４０を設けてもよい。決定部３６は、第１関数Ｆ１と第２関数Ｆ２の交点の内圧を拡張期血圧としてもよい。この変形例では、時系列データ取得部３２で取得された２つの内圧の間の値が収縮期血圧である場合にも、より正確な拡張期血圧を取得できる。
【００８７】
第１の実施の形態において、決定部３６は、第１微分値を内圧で微分して第２微分値を導出してもよい。この変形例では、生体情報測定装置１の構成の自由度を向上できる。
【００８８】
第１から第３の実施の形態では、圧迫帯１０は上腕８０に巻かれているが、下肢、指、手首などに巻かれてもよい。
【００８９】
第２および第３の実施の形態において、拡張率導出部４６は、血管径の拡張率Ｒに代えて、血管容量Ｖｖの拡張率Ｒ’（％）を導出してもよい。血管容量Ｖｖの拡張率Ｒ’は、Ｒ’＝１００×ΔＶｃ／Ｖｖで定義されるので、この式に式（７）を代入して、式（１２）で表される。
Ｒ’＝１００×Ｖｃ×ΔＰｃ／（Ｖｖ×Ｐｃ）      ・・・（１２）
拡張率導出部４６は、１００×Ｖｃ×ΔＰｃ／（Ｖｖ×Ｐｃ）を血管容量Ｖｖの拡張率Ｒ’として導出する。この変形例では、血管拡張反応に関する別の指標を得ることができる。
【符号の説明】
【００９０】
１…生体情報測定装置、１０…圧迫帯、１４…流量センサ、３０…内圧制御部、３２…時系列データ取得部、３４…関係導出部、３６…決定部、３８…第１フィッティング部、３８ａ…フィッティング部、４０…第２フィッティング部、４２…血管容量取得部、４４…変化量取得部、４６…拡張率導出部。
【産業上の利用可能性】
【００９１】
本開示は、生体情報を測定する技術に利用できる。
【要約】
生体情報測定装置１において、内圧制御部３０は、生体の一部に巻かれた圧迫帯１０の内圧を増加または低下させる。時系列データ取得部３２は、圧迫帯１０の内圧が増加または低下する間、当該圧迫帯１０の容量および内圧の時系列データを取得する。関係導出部３４は、時系列データにもとづいて、圧迫帯１０の容量と内圧の関係を導出する。決定部３６は、容量と内圧の関係を内圧で微分して第１微分値を導出し、当該第１微分値を時間または内圧で微分して第２微分値を導出し、当該第２微分値のピークの内圧を生体の血圧に決定する。【図１】
0006651087.tif 000002
【図２】
0006651087.tif 000003
【図３】
0006651087.tif 000004
【図４】
0006651087.tif 000005
【図５】
0006651087.tif 000006
【図６】
0006651087.tif 000007
【図７】
0006651087.tif 000008